【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
半導体酸化物粒子と、
（ａ）フッ素化酸ポリマーおよび（ｂ）フッ素化酸ポリマーがドープされた半導体ポリマーの少なくとも１つと、
を含むことを特徴とするバッファ組成物。
【手続補正２】
【補正対象書類名】明細書
【補正対象項目名】０２２３
【補正方法】変更
【補正の内容】
【０２２３】
別々の実施形態の状況において、明確にするために本明細書に記載されている特定の複数の特徴は、１つの実施形態の中で組み合わせても提供できることを理解されたい。逆に、簡潔にするため１つの実施形態の状況において説明した種々の特徴も、別々に提供したり、あらゆる副次的な組み合わせで提供したりすることができる。さらに、ある範囲において記載される値への言及は、その範囲内にあるすべての値を含んでいる。サブコンビネーション。
以下、本明細書記載の発明につき列記する。
１．  
半導体酸化物粒子と、
（ａ）フッ素化酸ポリマーおよび（ｂ）フッ素化酸ポリマーがドープされた半導体ポリマーの少なくとも１つと、
を含むことを特徴とするバッファ組成物。
２．
前記半導体酸化物粒子が、２族〜１２族の元素から選択される元素の酸化物、およびそれらの混合物を含むことを特徴とする前記１．に記載のバッファ組成物。
３．
前記半導体酸化物粒子が二金属酸化物を含むことを特徴とする前記１．に記載のバッファ組成物。
４．
各半導体ポリマーが、チオフェン類、ピロール類、アニリン類、縮合多環式ヘテロ芳香族、および多環式ヘテロ芳香族から選択される、独立に置換されているか非置換である１種または複数種のモノマーを含むことを特徴とする前記１．に記載のバッファ組成物。
５．
前記チオフェン類が、式Ｉおよび式Ｉａ：
【化２１】
2009502025.tif 000001
（上式中、
Ｒ１は、それぞれ同種または異種となるように独立に選択され、そして、水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択されるか、あるいは両方のＲ１基が一緒にアルキレン鎖またはアルケニレン鎖を形成して、３、４、５、６、または７員の芳香環または脂環式環を完成してもよく、その環は場合により、１つまたは複数の二価の窒素原子、硫黄原子、または酸素原子を含んでもよい）；
【化２２】
2009502025.tif 000002
（上式中、
Ｒ７は、それぞれ同種または異種であり、そして水素、アルキル、ヘテロアルキル、アルケニル、ヘテロアルケニル、アルコール、アミドスルホネート、ベンジル、カルボキシレート、エーテル、エーテルカルボキシレート、エーテルスルホネート、エステルスルホネート、およびウレタンから選択され、但し、少なくとも１つのＲ７は水素ではなく、
ｍは２または３である）
から選択される式によって表される構造を有することを特徴とする前記４．に記載のバッファ組成物。
６．
前記ピロール類が式ＩＩ：
【化２３】
2009502025.tif 000003
（上式中、
Ｒ１は、それぞれ同種または異種となるように独立に選択され、そして、水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、アミドスルホネート、エーテルカルボキシレート、エーテルスルホネート、エステルスルホネート、およびウレタンから選択されるか、あるいは両方のＲ１基が一緒にアルキレン鎖またはアルケニレン鎖を形成して、３、４、５、６、または７員の芳香環または脂環式環を完成してもよく、その環は場合により、１つまたは複数の二価の窒素原子、硫黄原子、または酸素原子を含んでもよく、
Ｒ２は、それぞれ同種または異種となるように独立に選択され、そして、水素、アルキル、アルケニル、アリール、アルカノイル、アルキルチオアルキル、アルキルアリール、アリールアルキル、アミノ、エポキシ、シラン、シロキサン、アルコール、ベンジル、カルボキシレート、エーテル、エーテルカルボキシレート、エーテルスルホネート、エステルスルホネート、およびウレタンから選択される）
によって表される構造を有することを特徴とする前記４．に記載のバッファ組成物。
７．
前記アニリン類が、式ＩＩＩ、式ＩＶａ、および式ＩＶｂ：
【化２４】
2009502025.tif 000004
（上式中、
ａは０または１〜４の整数であり、
ｂは１〜５の整数であり、但し、ａ＋ｂ＝５であり、
Ｒ１は、それぞれ同種または異種となるように独立に選択され、そして、水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択されるか、あるいは両方のＲ１基が一緒にアルキレン鎖またはアルケニレン鎖を形成して、３、４、５、６、または７員の芳香環または脂環式環を完成してもよく、その環は場合により、１つまたは複数の二価の窒素原子、硫黄原子、または酸素原子を含んでもよい）；
【化２５】
2009502025.tif 000005
（上式中、ａ、ｂ、およびＲ１は上記に定義した通りである）
から選択される式によって表される構造を有することを特徴とする前記４．に記載のバッファ組成物。
８．
前記縮合多環式ヘテロ芳香族が、式Ｖ、および式Ｖａ〜Ｖｇ：
【化２６】
2009502025.tif 000006
（上式中、
ＱはＳまたはＮＲ６であり、
Ｒ６は水素またはアルキルであり、
Ｒ８、Ｒ９、Ｒ１０、およびＲ１１は、それぞれ同種または異種となるように独立に選択され、そして水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、ニトリル、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択され、
Ｒ８およびＲ９、Ｒ９およびＲ１０、ならびにＲ１０およびＲ１１のうち少なくとも１つが一緒にアルケニレン鎖を形成して、５または６員の芳香環を完成し、その環は、場合により１つまたは複数の二価の窒素原子、硫黄原子、または酸素原子を含んでもよい）；
【化２７】
2009502025.tif 000007
（上式中、
ＱはＳまたはＮＨであり、
Ｔは、それぞれ同種または異種であり、そして、Ｓ、ＮＲ６、Ｏ、ＳｉＲ６２、Ｓｅ、およびＰＲ６から選択され、
Ｒ６は水素またはアルキルである）
から選択される式によって表される構造を有することを特徴とする前記４．に記載のバッファ組成物。
９．
前記多環式ヘテロ芳香族が式ＶＩ：
【化２８】
2009502025.tif 000008
（上式中、
ＱはＳまたはＮＲ６であり、
Ｔは、Ｓ、ＮＲ６、Ｏ、ＳｉＲ６２、Ｓｅ、およびＰＲ６から選択され、
Ｅは、アルケニレン、アリーレン、およびヘテロアリーレンから選択され、
Ｒ６は水素またはアルキルであり、
Ｒ１２は、それぞれ同種または異種であり、そして水素、アルキル、アルケニル、アルコキシ、アルカノイル、アルキルチオ（ａｌｋｙｔｈｉｏ）、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、ニトリル、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択されるか、あるいは２つのＲ１２基が一緒にアルキレン鎖またはアルケニレン鎖を形成して、３、４、５、６、または７員の芳香環または脂環式環を完成してもよく、その環は場合により１つまたは複数の二価の窒素原子、硫黄原子、または酸素原子を含んでもよい）
によって表される構造を有することを特徴とする前記４．に記載のバッファ組成物。
１０．
前記半導体酸化物粒子が、インジウム・スズ酸化物（「ＩＴＯ」）、インジウム・亜鉛酸化物（「ＩＺＯ」）、ガリウム・インジウム酸化物、および亜鉛・アンチモン複酸化物から選択されることを特徴とする前記３．に記載のバッファ組成物。
１１．
前記酸化物粒子が、２族〜１６族から選択される２つの元素の酸化物、およびそれらの混合物を含むことを特徴とする前記１．に記載のバッファ組成物。
１２．
前記酸化物粒子が、インジウム・スズ酸化物（「ＩＴＯ」）、インジウム・亜鉛酸化物（「ＩＺＯ」）、ガリウム・インジウム酸化物、および亜鉛・アンチモン複酸化物から選択されることを特徴とする前記１１．に記載のバッファ組成物。
１３．
前記酸化物粒子が、アンチモンがドープされた酸化物およびジルコニウムから選択されることを特徴とする前記１．に記載のバッファ組成物。
１４．
前記フッ素化酸ポリマー（「ＦＡＰ」）が高フッ素化されていることを特徴とする前記１．に記載のバッファ組成物。
１５．
前記ＦＡＰは可湿性であることを特徴とする前記１．に記載のバッファ組成物。
１６．
前記ＦＡＰは非可湿性であることを特徴とする前記１．に記載のバッファ組成物。
１７．
前記ＦＡＰがＦＳＡポリマーであることを特徴とする前記１．に記載のバッファ組成物。
１８．
前記ＦＡＰがコロイド形成性であることを特徴とする前記１．に記載のバッファ組成物。
１９．
前記ＦＡＰは可湿性であることを特徴とする前記１８．に記載のバッファ組成物。
２０．
前記ＦＡＰは非可湿性であることを特徴とする前記１８．に記載のバッファ組成物。
２１．
前記ＦＡＰがＦＳＡポリマーであることを特徴とする前記１９．に記載のバッファ組成物。
２２．
前記ＦＡＰがポリマースルホン酸であることを特徴とする前記１８．に記載のバッファ組成物。
２３．
前記ＦＡＰが半導体ポリマー中にドープされ、前記酸がドープされた半導体ポリマーがフィルムを形成することを特徴とする前記１９．に記載のバッファ組成物。
２４．
前記ＦＡＰが半導体ポリマー中にドープされ、前記酸がドープされた半導体ポリマーがフィルムを形成することを特徴とする前記２０．に記載のバッファ組成物。
２５．
前記ポリマー酸が式ＶＩＩ、ＶＩＩＩ、ＩＸ、ＸＩＩ、およびＸＶから選択される式を有することを特徴とする前記１．に記載のバッファ組成物。
２６．
前記ポリマー酸がシロキサンペンダント基を有することを特徴とする前記２５．に記載のバッファ組成物。
２７．
前記ポリマー酸が、式Ｘおよび式ＸＩＶから選択される式を有するペンダント基を有することを特徴とする前記２５．に記載のバッファ組成物。
２８．
前記半導体ポリマーが、少なくとも１つの第１の前駆体モノマーと少なくとも１つの第２の前駆体モノマーとを含むことを特徴とする前記１．に記載のバッファ組成物。
２９．
少なくとも１つの第２の前駆体モノマーが非伝導性であることを特徴とする前記２８．に記載のバッファ組成物。
３０．
フッ素化酸ポリマー（ｐｏｌｙｅｒ）がドープされた前記半導体ポリマーの水性分散体が、約１．５〜約４の範囲内のｐＨを有することを特徴とする前記１．に記載のバッファ組成物。
３１．
前記１．に記載のバッファ組成物を含むことを特徴とする電子デバイス。